(57)【要約】      （修正有）【課題】より正確にスカートガードを装着できるとともに、現地据付後の保守・点検・調整が容易に行える、乗客コンベアのスカートガード装置を提供する。【解決手段】スカートガード取付部が、断面Ｃ字型のスカートブラケット９に、スカートブラケット９の上辺９ｂと断面Ｌ字型のスカートアングル１０の下辺１０ａとを、スカートブラケット９の下辺９ｃと断面Ｌ字型のクリップ固定板１１の上辺１１ａとを、固定する構成とし、スカートブラケット９の立辺９ａが主枠のテンプレート８に固定され、スカートアングル１０の立辺１０ｂがスカートガードパネル６ａの上部の裏面端部に、クリップ固定板１１の立辺１１ｂがスカートガードパネル６ａ下部の裏面端部に固定される。【選択図】図６
2016216136.tif 000002
【特許請求の範囲】
【請求項１】
踏段の移動方向に沿って連続して配置された複数のスカートガードパネルと、
中央部が主枠側に固定され、上辺と下辺が並行に設けられた断面Ｃ字型のブラケット、一端が前記ブラケットの前記上辺に固定され、他端が前記スカートガードパネル上部の裏面端部に固定された断面Ｌ字型のアングル、および一端が前記ブラケットの前記下辺に固定され、他端が前記スカートガードパネル下部の裏面端部に固定された断面Ｌ字型の固定板と
を有するスカートガード取付部と
を備えたことを特徴とする乗客コンベアのスカートガード装置。
【請求項２】
前記ブラケットは、前記中央部が前記移動方向に垂直縦方向で調整可能に前記主枠側に固定されたことを特徴とする請求項１に記載の乗客コンベアのスカートガード装置。
【請求項３】
前記ブラケットと前記アングル、および前記固定板と前記アングルは、それぞれ互いに直交する長穴を介して固定され、前記移動方向または垂直横方向で調整可能に固定されたことを特徴とする請求項１または請求項２に記載の乗客コンベアのスカートガード装置。
【請求項４】
前記アングルおよび前記固定板は、隣り合う前記スカートガードパネルを跨いで固定され、前記アングルは、隣り合う前記スカートガードパネルの継ぎ目を塞ぐように設けられていることを特徴とする請求項１から請求項３のいずれか１項に記載の乗客コンベアのスカートガード装置。
【請求項５】
前記アングルは、上端面にＵ字の切欠き部が設けられ、前記Ｕ字の切欠き部を介して前記スカートガードパネルに固定されたことを特徴とする請求項１から請求項４のいずれか１項に記載の乗客コンベアのスカートガード装置。
【請求項６】
前記アングルは、皿ネジを用いて固定されたことを特徴とする請求項１から請求項５のいずれか１項に記載の乗客コンベアのスカートガード装置。
【請求項７】
前記スカートガードパネルの裏面に、板バネクリップを設け、前記固定板に固定することを特徴とする請求項１から請求項６のいずれか１項に記載の乗客コンベアのスカートガード装置。
【発明の詳細な説明】
【技術分野】
【０００１】
この発明は、乗客コンベアのスカートガードに関する。
【背景技術】
【０００２】
従来の乗客コンベアのスカートガード装置では、乗客コンベアの主枠に、上下調整可能なＬ字の支持部材が取り付けられ、その上面にスカートガード裏面の補強部材を載置するものがある（例えば、特許文献１参照）。
【先行技術文献】
【特許文献】
【０００３】
【特許文献１】特開２００７-１６１４４７号公報（段落０００８〜００１４、図３）
【発明の概要】
【発明が解決しようとする課題】
【０００４】
従来の乗客コンベアのスカートガードは、主枠に長手方向に取付けられた断面Ｌ字形状の支持部材上面に、スカートガードに長手方向に取付けられた断面Ｌ字形状の補強部材の下面を載置し取り付けられる。主枠は主に溶接組立されるため、熱による歪が発生する。また、主枠が自重により下方に撓むことにより、複数の支持部材の上面は主枠の撓みに倣って面一にならず、結果として逆Ｖ字状の隙間が空くという問題があった。
【０００５】
また、各スカートガードの補強部材の載置面の平行度が出ていなければ、上記と同じ問題が発生し、且つ、隣り合うスカートガードに段差が発生するという問題があった。また、スカートガードは乗客コンベアの長手方向に、踏段と一定の間隔をあけて取り付けられるため、組付け調整作業に多大の時間を要するという問題があった。
【０００６】
この発明は上記のような課題を解決するためになされたものであり、より正確にスカートガードを装着できるとともに、現地据付後の保守・点検・調整が容易に行える、乗客コンベアのスカートガード装置を提供することを目的とする。
【課題を解決するための手段】
【０００７】
この発明の乗客コンベアのスカートガード装置は、踏段の移動方向に沿って連続的に配置された複数のスカートガードパネルと、中央部が主枠側に固定された断面Ｃ字型のスカートブラケット、一端が前記スカートブラケットの一端に固定され、他端が前記スカートガードパネルに固定された断面Ｌ字型の固定板、および一端が前記スカートブラケットの他端に固定され、他端が前記スカートガードパネルに固定された断面Ｌ字型のスカートアングルとを有するスカートガード取付部とを備えたことを特徴とする。
【発明の効果】
【０００８】
この発明によれば、スカートガードの取付けをより正確に行えると同時に、現地据付後の保守・点検・調整を容易に行うことができる。
【図面の簡単な説明】
【０００９】
【図１】この発明の実施の形態１における乗客コンベアのスカートガード装置を備えた乗客コンベアの斜視図である。
【図２】この発明の実施の形態１における乗客コンベアのスカートガード装置の図１でのＡ−Ａ線に沿ったスカートガードの矢視側面図である。
【図３】この発明の実施の形態１における乗客コンベアのスカートガード装置の図２でのＢ−Ｂ線に沿ったスカートガード取付構成を示すの矢視断面図である。
【図４】この発明の実施の形態１における乗客コンベアのスカートガード装置でのスカートガードを取付けるブラケット上部を示す斜視図である。
【図５】この発明の実施の形態１における乗客コンベアのスカートガード装置でのスカートガードを取付けるブラケット下部を示す斜視図である。
【図６】この発明の実施の形態１における乗客コンベアのスカートガード装置でのスカートガード取付部を示す斜視図である。
【図７】この発明の実施の形態１における乗客コンベアのスカートガード装置でのスカートガードの取付方法を示す斜視図である。
【図８】この発明の実施の形態１における乗客コンベアのスカートガード装置でのスカートガードのパネル上部端面を示す斜視図である。
【図９】この発明の実施の形態１における乗客コンベアのスカートガード装置でのスカートブラケットの調整方法を示す斜視図である。
【図１０】この発明の実施の形態１における乗客コンベアのスカートガード装置でのスカートアングル立辺の上端面部を示す斜視図である。
【発明を実施するための形態】
【００１０】
実施の形態１．
図１は、この発明の実施の形態１における乗客コンベアのスカートガード装置を備えた乗客コンベアの斜視図、図２は図１におけるＡ−Ａ線に沿ったスカートガードの矢視側面図、図３は図２におけるＢ−Ｂ線に沿ったスカートガード取付構成を示す矢視断面図である。図４はスカートガードを取付けるブラケット上部の詳細を表す斜視図、図５はスカートガードを取付けるブラケット下部の詳細を表す斜視図である。
【００１１】
図１に示すように、乗客コンベア１は、踏段２、欄干パネル３、手摺４、内デッキ５、スカートガード６、主枠７によって構成される。図１において、１は建屋の上下階の間に設けられた乗客コンベア、７はトラス構造等の複数の梁で構成され、上階建築梁と下階床建築梁に架設されて乗客コンベア１の重量及び乗客重量を支持する主枠、２は無端状に連結され、循環移動して乗客を運ぶ乗客コンベア１の踏段、３は踏段２の両側に立設され乗客コンベア１の欄干の主体を成す欄干パネル、４は欄干パネル３に設けられ踏段２と同期して移動する移動手摺である。６は踏段２の両側に位置し、表面が該踏段２の両側面と僅かな隙間を確保して対向し該踏段２の移動方向に沿い全域に延在したスカートガードである。
【００１２】
図２および図３に示すように、スカートガード６は、複数の長方形のスカートガードパネル６ａが上下方向斜めに連続的に配置されることで構成される。このスカートガードパネル６ａの裏面が複数のブラケットを介し主枠７と係合することにより支持されているものである。６ｂは複数のスカートガードパネル６ａ相互の継ぎ目で、１ｍｍほどの僅かな隙間が設けられている。１２はスカートガード６の長手方向に長くスカートガードパネル６ａの中央及び下部に設けられたスカートガード６の補強部材である。５は欄干パネル３の下辺部からスカートガード６の上辺部までを水平に覆う内デッキである。
【００１３】
７ａはスカートガード６の継ぎ目６ｂの位置に合わせて主枠に溶接されて設けられた主枠の一部材のアングルで、７ｂは主枠の一部材のアングル７ａに溶接されて設けられた主枠の一部材のプレートである。８は、主枠の一部材のプレート７ｂにボルト締めされ固定されたテンプレートである。
【００１４】
９は複数のテンプレート８それぞれに設けられた断面Ｃ字型のスカートブラケットで、テンプレート８と当接した立辺９ａと、前記立辺９ａの上端縁から踏段２の進行方向に向かって延在した上辺９ｂと、立辺９ａの下端縁から上辺９ｂと同方向に延在した下辺９ｃとで構成されたものである。上辺９ｂと下辺９ｃは、並行に設けられている。９ｅはスカートブラケットの上辺９ｂ及びスカートブラケットの下辺９ｃに設けられスカートガード継ぎ目６ｂ付近に踏段２の進行方向に長い長穴である(図４および図５参照)。
【００１５】
図４に示すように、１０はスカートブラケット上辺９ｂそれぞれに設けられた断面Ｌ字型のスカートアングルで、スカートブラケット上辺９ｂに載置された下辺１０ａと、スカートガードパネル６ａに着設するように上方向に延在した立辺１０ｂとで構成されたものである。１０ｃはスカートブラケット上辺９ｂの長穴９ｅを貫通させるようにスカートアングル下辺１０ａに設けられた、踏段２の幅方向に長い長穴である。１４は前記長穴１０ｃとはスカートブラケット上辺９ｂの長穴９ｅとを貫通するように設けられたボルト、１５は前記ボルト１４と係合したナットである。スカートアングル１０はスカートブラケット上辺９ｂに載置され、ボルト１４と係合したナット１５の蝶合固定により支持されたものである。
【００１６】
図５に示すように、１１はスカートブラケット下辺９ｃそれぞれに設けられた断面Ｌ字型のクリップ固定板で、スカートブラケット下辺９ｃに外付けされた上辺１１ａと、スカートガードパネル６ａに着設するように下方向に延在した、立辺１１ｂとで構成されたものである。１１ｃはスカートブラケット下辺９ｃの長穴９ｅを貫通させるようにクリップ固定板上辺１１ａに設けられた、踏段２の幅方向に長い長穴である。クリップ固定板１１はスカートブラケット下辺９ｃに外付けされ、ボルト１４と係合したナット１５の蝶合固定により支持されたものである（図３参照）。
【００１７】
この発明の実施の形態１における乗客コンベアのスカートガード装置は、スカートガードを取付けるスカートガード取付部２０が、前記のスカートブラケット９、スカートアングル１０、クリップ固定板１１の３部品によって構成されている。スカートアングル１０及びクリップ固定板１１は、それぞれに設けられたスカートアングルの長穴１０ｃ及びクリップ固定板の長穴１１ｃの長手方向、つまり踏段２の幅方向への調整が可能となる。この構成により、スカートアングルの立辺１０ｂの表面とクリップ固定板の立辺１１ｂの表面が踏段２の幅方向に面一となるように調整され、スカートガードパネル６ａの裏面と着設されるため、踏段２と一定の間隔を保ちながら、スカートガード６を取付けることができる。
【００１８】
図６は、この発明の実施の形態１における乗客コンベアのスカートガード装置を詳細に示した斜視図である。図６に示すように、スカートガード取付部２０は、スカートガードパネル６ａ、テンプレート８、スカートブラケット９、スカートアングル１０、クリップ固定板１１、補強部材１２、角根丸頭ボルト１４、フランジ付ナット１５で構成されている。
【００１９】
スカートガードの継ぎ目６ｂは、着設するスカートアングルの立辺１０ｂとクリップ固定板の立辺１１ｂの踏段２と向い合う面の中心にくるように配置されている。これにより、スカートブラケット９、スカートアングル１０、クリップ固定板１１の３部品で構成されたスカートガード取付部２０で相互のスカートガードパネル６ａの端部を各々１ヶ所ずつ支持している。１２は断面ハット型形状のスカートガードの補強部材で、凹部を被せるようにスカートガードパネル６ａの裏面中央及び下部に並置し、スカートアングル１０及びクリップ固定板１１と干渉しないように、スカートガードパネル６ａの継ぎ目付近から離した場所へ接着してある。
【００２０】
この構成によると、相互のスカートガードパネル６ａの裏面端部が同一平面に着設し固定されるため、スカートガードパネル６ａ相互間の表面に段差がなく取付けることができる。また、相互のスカートガードパネル６ａの間に僅かに空いた隙間から、異物の混入を防ぐ効果もある。また、スカートガードパネル６ａの裏面端部とスカートアングルの立辺１０ｂが着設することで、補強部材としての役割を果たし、外部から負荷が掛かった場合においてもスカートガードパネル６ａの変形を阻止することができる。
【００２１】
次に、この発明の実施の形態１における乗客コンベアのスカートガード装置の取付方法について説明する。図７は、この発明の実施の形態１における乗客コンベアのスカートガード装置のスカートガードの取付方法を示す斜視図であり、図８は、図７におけるスカートガードのパネル上部端面６ｃ付近を詳細に表した斜視図である。
【００２２】
図７及び図８に示すように、１３はスカートガードパネル６ａの下部両端へ溶接し支持された板バネクリップである。１１ｄはクリップ固定板１１の曲部に設けられた踏段の進行方向に長い長穴である。６ｅはスカートガードパネル６ａの上部両端に設けられ、スカートガードパネル６ａの表面から空けられた皿穴である。１０ｅはスカートアングルの立辺１０ｂの踏段２と向い合う面の中心から、左右に振り分けて設けられ、スカートアングルの上端面１０ｄから、下方向に加工されたＵ字形状の切り欠きである。１６はスカートガードパネルの皿穴６ｅとスカートアングルの切欠き１０ｅを貫通するように設けられた皿小ネジである。１７は皿小ネジ１６と係合したナットである。
【００２３】
スカートガード６の取付方法は、面一に調整されたスカートアングルの立辺１０ｂとクリップ固定板の立辺１１ｂにスカートガードパネル６ａの裏面を着設し、矢印Ｃ方向へ滑らせると、板バネクリップ１３がクリップ固定板の長穴１１ｄに挿着されると同時に、スカートガードパネル６ａの上端面６ｃがスカートアングル立辺１０ｂの上端面１０ｄと面一となり、皿穴６ｅとスカートアングルの切欠き１０ｅを前記皿小ネジ１６と係合したナット１７で固定し支持する。
【００２４】
このように、調整され踏段２の進行方向に連続して並べられた、スカートブラケット９、スカートアングル１０、クリップ固定板１１の３部品構成のスカートガード取付部２０にスカートガードパネル６ａを上部からスライド挿着し、スカートガードパネル６ａの上部両端をボルト１６及び係合するナット１７により固定することで、容易にスカートガードパネル６ａの取付けが可能となる。また、ボルト１６をスカートガードパネル６ａの表面側から締められることで作業も容易である。スカートガード６の上部は内デッキ５に覆われるため外面にボルト頭が見えることがなく、いたずら防止にも効果的である。さらに、スカートガードパネル６ａを取り外す場合には、ボルト１６を緩めるだけでナット１７を取り除くことなくスカートガードパネル６ａを取り外し可能で、締結部品を乗客コンベア内部へ落とす心配もなくメンテナンスも容易に行える。
【００２５】
次に、この発明の実施の形態１における乗客コンベアのスカートガード装置の調整方法について説明する。図９は、この発明の実施の形態１における乗客コンベアのスカートガード装置のスカートブラケット９の調整方法を示した斜視図であり、図１０は、スカートアングル立辺の上端面１０ｄ部を詳細に示した斜視図である。
【００２６】
図９および図１０に示すように、８ａはテンプレート８に設けられた上下方向に長い上下一対の長穴である。９ｄはスカートブラケットの立辺９ａに設けられ、テンプレート８の長穴８ａと同位置となる上下一対の踏段２の幅方向に長い通し穴である。テンプレート８の長穴８ａとスカートブラケットの立辺９ａの長穴９ｄは、それぞれを貫通したボルト１４と係合したナット１５の螺合固定により支持されたものである。
【００２７】
このように、スカートブラケット９はテンプレート８の長穴８ａの長手方向、つまり上下方向への調整が可能となる。これによりスカートブラケット９の上辺９ｂに載置されたスカートアングル１０の立辺１０ｂの上端面１０ｄをスカートガードパネル６ａの上端面６ｃに面一となるように調整することで、スカートガード６の高さ方向の調整を可能とした。
【００２８】
以上のように、この発明の実施の形態１における乗客コンベアのスカートガード装置は、スカートガード取付部２０が、断面Ｃ字型のスカートブラケット９に、スカートブラケット９の上辺９ｂと断面Ｌ字型のスカートアングル１０の下辺１０ａとを、スカートブラケット９の下辺９ｃと断面Ｌ字型のクリップ固定板１１の上辺１１ａとを、固定した構成とし、スカートブラケット９の立辺９ａが主枠７のテンプレート８に固定され、スカートアングル１０の立辺１０ｂがスカートガードパネル６ａの上部の裏面端部に、クリップ固定板１１の立辺１１ｂがスカートガードパネル６ａ下部の裏面端部に固定されるようにしたので、スカートガードの取付けをより正確に行えると同時に、現地据付後の保守・点検・調整を容易に行うことができる。
【００２９】
また、スカートブラケットの立辺９ａが、移動方向に垂直縦方向で調整可能に固定され、スカートブラケット９とスカートアングル１０、およびスカートブラケット９と固定板１１が、それぞれ互いに直交する長穴を介して固定され、移動方向または垂直横方向で調整可能に固定されるようにしたので、メンテナンスでスカートガードを外した場合にも高さ等の調整が容易に行え、スカートガードの取付けをより正確に行える。
【００３０】
さらに、スカートアングル１０およびクリップ固定板１１が、隣り合うスカートガードパネル６ａを跨いで固定されるようにしたので、相互のスカートガードのパネル表面に段差がなく取付けが可能となり、相互のスカートガードのパネルの継ぎ目の隙間から異物の混入を防ぐこともできる。
【００３１】
また、スカートアングル１０が、上端面にＵ字の切欠き部を設け、Ｕ字の切欠き部を介してスカートガードパネル６ａに固定されるようにしたので、スカートガードを取り外す場合には、ボルトを緩めるだけでナットを取り除くことなくスカートガードを取り外し可能で、締結部品を乗客コンベア内部へ落とす心配もなくメンテナンスも容易に行える。
【００３２】
また、スカートアングル１０が、皿ネジを用いて固定されるようにしたので、スカートガード表面からボルト頭が飛び出さず、ボルト固定部は内デッキに覆い隠されるため、ボルト頭が外面に見えることなくいたずら防止になる。
【００３３】
また、スカートガードパネル６ａの裏面に、板バネクリップ１３を設け、前記固定板に固定するようにしたので、容易にスカートガードの取付けが可能となる。
【００３４】
なお、本発明は、その発明の範囲内において、実施の形態を適宜、変形、省略することが可能である。
【符号の説明】
【００３５】
１  乗客コンベア、２  踏段、６  スカートガード、７  主枠、９スカートブラケット９ａ  スカートブラケットの立辺、９ｂ  スカートブラケットの上辺、９ｃ  スカートブラケットの下辺、１０  スカートアングル、１０ａ  スカートアングルの下辺、１０ｂ  スカートアングルの立辺、１１  クリップ固定板、１１ａ  クリップ固定板の上辺、１１ｂ  クリップ固定板の立辺、１３  板バネクリップ  １６  皿小ネジ、２０  スカートガード取付部
【図１】
2016216136.tif 000003
【図２】
2016216136.tif 000004
【図３】
2016216136.tif 000005
【図４】
2016216136.tif 000006
【図５】
2016216136.tif 000007
【図６】
2016216136.tif 000008
【図７】
2016216136.tif 000009
【図８】
2016216136.tif 000010
【図９】
2016216136.tif 000011
【図１０】
2016216136.tif 000012